(57)【要約】【課題】メインフレームとスライドフレームを設けた伸縮可能なコンテナシャシにおいて、重量の軽減を図るとともにスライドフレーム移動時の摩擦抵抗を低減させる。【解決手段】メインフレーム１の後端部には、スライドフレーム２の下方に後方ローラ８を設置し、また、メインフレーム１の中間部には、スライドフレーム２の上方と下方に前方ローラ９Ａ、９Ｂを設置する。前方ローラ９Ａ、９Ｂの中心軸は、枢軸の周りに回動するアーム部材の一端に取り付けられ、他端にはローラを付勢するばねが連結される。スライドフレーム２が当接する全てのローラは固定位置に設けられるので、特別なガイドレールを置く必要はなく、メインフレーム１の重量が軽減される。さらに、スライドフレーム２の移動中、前方ローラ９Ａ、９Ｂは傾斜することなく安定した状態で作動するため、摩擦抵抗の増加を防止できる。【選択図】図１
2008068790.tif 000002
【特許請求の範囲】
【請求項１】
トラクタに牽引されるコンテナシャシであって、
前記コンテナシャシは、メインフレームとその後方のスライドフレームとに分割され、前記スライドフレームが前記メインフレームに対して移動することにより伸縮可能に構成されており、さらに、
前記メインフレームの後端部には、前記スライドフレームの下方に後方ローラが設置されるとともに、前記メインフレームの中間部には、前記スライドフレームの下方及び上方にそれぞれ前方ローラが設置され、
前記後方ローラ及び前記前方ローラは、前記スライドフレームに当接するようばねにより付勢され、かつ、前記前方ローラのそれぞれの中心軸は、前記メインフレームに対し固定された枢軸の周りに回動するアーム部材の一端に取り付けられており、前記アーム部材の他端には前方ローラを付勢する前記ばねが連結されていることを特徴とするコンテナシャシ。
【請求項２】
前記スライドフレームは、断面コ字状の移動レールを有するとともに、前記メインフレームには前記移動レールが挿入される断面コ字状の枠体が固定され、前記前方ローラのそれぞれは、前記枠体の上辺及び下辺に形成された切り欠き部を通して前記移動レールの上面及び下面に当接する請求項１に記載のコンテナシャシ。
【請求項３】
前記アーム部材は、直角に屈曲した形状に形成されて屈曲部が前記枢軸に回動可能に取り付けられており、前方ローラを付勢する前記ばねが、前記スライドフレームの移動方向に伸縮するよう、前記スライドフレームが伸張したときの前端部よりも前方の位置に配置されている請求項１又は請求項２に記載のコンテナシャシ。
【請求項４】
前記スライドフレームには、その後端部にコンテナを固定する緊締具が設置されるとともに、前記メインフレームには、その前端部及び中間部に緊締具が設置されており、異なる長さのコンテナが積載可能である請求項１乃至請求項３のいずれかに記載のコンテナシャシ。
【発明の詳細な説明】
【技術分野】
【０００１】
本発明は、輸送用容器であるコンテナを積載し、トラクタに牽引されるトレーラとして構成されたコンテナシャシ、特に長さの異なるコンテナを積載するためフレームが伸縮可能に構成されたコンテナシャシに関するものである。
【背景技術】
【０００２】
輸送用容器として用いられるコンテナは、貨物の積込み及び積出し作業が容易であり、反復して長期の使用が可能である等の特性を有している。また、船舶、車両等の種々の輸送機関に積載することができるので、コンテナは、近年各種の物品の輸送用容器として盛んに利用されている。こうしたことから、コンテナについては国際規格等によって長さの寸法などが定められており、長さが２０フィート（約６m）のコンテナ及び４０フィート（約１２m）のコンテナが多く用いられる。
【０００３】
コンテナは大型の容器であって、陸上を車両で運送する場合は、通常、トラクタで牽引される車台であるコンテナシャシ上に積載して運送される。コンテナシャシの中には、長さの異なるコンテナを積載可能に構成された、例えば２０フィートのコンテナと４０フィートのコンテナとに兼用できるようになっているコンテナシャシがある。このような兼用のコンテナシャシは、４０フィートのコンテナに対応できるよう全長が長く、コンテナシャシの最後部の車輪よりも後方に延長された相当長いオーバーハング部を備えている。
【０００４】
そして、兼用のコンテナシャシに２０フィートのコンテナを１個積載するときは、その中央寄りに積載する。これは、コンテナシャシの車軸に過大な軸重が作用するのを回避するためであり、コンテナの荷重をカプラ（コンテナシャシとトラクタの連結具）を介してトラクタの車軸にも配分し、コンテナシャシの軸重を軽減する。コンテナシャシにはコンテナを位置決めし固定するための緊締具が設けてあり、兼用のコンテナシャシの場合は、前後の両端部に４０フィート用の緊締具が設置されるとともに、中間部にも２０フィート用の緊締具が設置されている。一般的には、前端部の緊締具は、スレットピンと呼ばれるピンをコンテナ前面のコーナー部の孔に挿入するものであり、その他の緊締具は、コンテナ下面のコーナー部に開けられた長方形の孔に長方形断面の頭部を備えた金具を挿入した後これを回転させて固定する、ツイストロックと呼ばれる緊締具となっている。
【０００５】
ところで、コンテナ内の貨物の積み降ろし作業を行うときは、フォークリフト等の荷役作業車を直接コンテナ内部に入り込ませ、コンテナをコンテナシャシに積載したまま貨物の出し入れを行うことが望ましい。そのため、コンテナ貨物を取扱う施設には、コンテナシャシに積載したコンテナの床面とほぼ一致する高さのプラットフォームが設けられており、コンテナシャシをこのプラットフォームに後端が接するように位置付けし、コンテナの後端部の扉を開いてプラットフォームから荷役作業車を出入させる。しかし、２０フィートのコンテナを中央寄りに積載しているときは、コンテナシャシは２本のメインビームの適所にクロスビームを渡した平面が梯子状の骨組みになっているので、コンテナの後端部からフォークリフト等を走行させ、コンテナシャシのオーバーハング部を通過してコンテナ内部に入り込ませるのは不可能である。
【０００６】
中央部に積載されたコンテナへの作業車の走行を可能とするため、コンテナシャシの後部のオーバーハング部にスライド可能なスライドフレームを設け、ここを伸縮自在とした兼用のコンテナシャシが知られている。つまり、図６に示すとおり、このコンテナシャシは、前端から最後部の車輪の直後にまで延びる２本のメインビーム１１を具備したメインフレーム１と、車輪の後ろ側のオーバーハング部を構成するスライドフレーム２とに分割されている。メインフレーム１の前端とスライドフレーム２の後端にはコンテナを固定する緊締具３Ａ、３Ｄが取り付けてあり、４０フィートの長さのコンテナを積載するときはスライドフレーム２を伸長し、コンテナはコンテナシャシ全体に載置される。２０フィートのコンテナを積載するときは、コンテナシャシの中間部に設置された緊締具３Ｂ、３Ｃを利用して、その中央部に積載する。なお、コンテナシャシは、図示しないトラクタに牽引されるものであって、前方の下部にはトラクタのカプラに連結されるピン４を備え、後方に３対の車輪５Ａ、５Ｂ、５Ｃが配置されている。
【０００７】
２０フィートのコンテナを積載したとき、プラットフォームへ貨物の積み降ろしを行う場合には、スライドフレーム２をメインフレーム１に収容し、コンテナシャシのオーバーハング部を短縮する。こうすると、コンテナの後端をプラットフォームに近接させることが可能で、コンテナへの作業車の出入ができるようになる。コンテナの後端とプラットフォームとの間には、必要に応じて長さの短い渡し板を設置してもよい。
ちなみに、このような伸縮自在のコンテナシャシに２０フィートのコンテナを積載したときは、車両の走行時にオーバーハング部を短縮することにより、全長の長い兼用のコンテナトレーラの操縦性や狭い場所での運転性を向上させることも可能であり、こうした技術は、例えば特開昭５８−１９４６３５号公報に開示されている。
【特許文献１】特開昭５８−１９４６３５号公報
【発明の開示】
【発明が解決しようとする課題】
【０００８】
伸縮自在のコンテナシャシではフレームが２分割されており、車両の前方のメインフレーム１にスライドフレーム２が取り付けられる。スライドフレーム２の伸縮に空気圧等の動力を使用すると付属設備等を要し重量も増加するので、スライドフレーム２は、手動によって操作できるよう構成することが望ましい。図７及び図８は、手動で操作する従来のスライドフレーム２の構造及び支持装置を示すものである。
メインフレーム１のメインビーム１１と直交するクロスビーム１２にはガイドレール１３が溶接等によって固着され、斜視図で表す図８（ａ）から分かるとおり、このガイドレール１３はコ字状の断面を有している。スライドフレーム２は、同じくコ字状断面の２本の移動レール２１をクロス部材２２で結合したもので、移動レール２１はガイドレール１３に挿入されスライド可能となっている。スライドフレーム２の後端には、コンテナシャシの横幅にほぼ等しい長さの後端クロス部材２３が設けられ、ここにコンテナ緊締具であるツイストロック３Ｄや尾灯等が配置される。また、メインビーム１１には、ピンによりスライドフレーム２を固定する位置決め装置１４が設けてあり、そのピンが嵌め込まれる孔２５が移動レール２１に形成してある。なお、２０フィートのコンテナの後端を固定するツイストロック３Ｃは、図７の２点鎖線に示すように蝶番式に取り付けられており、４０フィートのコンテナを積載する際には反転されてコンテナシャシの上面に突出しない構造となっている。
【０００９】
スライドフレーム２をスライドさせるときの摩擦抵抗を減少させるため、前後に２個、スライドフレーム２の下方に配置されたばね付きローラ装置６が、メインビーム１１に固着されたブラケット等に取り付けられている。図８の斜視図（ａ）及びローラ部分の一部断面図（ｂ）に示すとおり、ばね６１によって押し上げられる円筒体のローラ６２は、ガイドレール１３の下辺の孔１５を通過して上方に突き出しており、移動レール２１はこのローラ６２上に載置される。そして、移動レール２１には同様な構造を備えた移動ばね付きローラ装置７が設けてあり、そのローラ７１は、移動レール２１の上辺の孔２４を通過して上方に突出し、ガイドレール１３の上辺に当接する。スライドフレーム２をメインフレーム１に出没させて伸縮するときは、スライドフレーム２上にコンテナが載置されておらず、ローラ６２にはスライドフレーム２の自重のみが作用する。したがって、移動レール２１は、ばね６１に押されてガイドフレーム１３とは接触することなくローラ６２に載って動くため、スライドフレーム２を手動で伸縮することができる。
【００１０】
しかし、こうしたスライドフレーム２の支持装置では、移動ばね付きローラ装置７が移動レール２１に取り付けてあり、そのローラ７１はガイドレール１３の上辺に当接しながら転動する。そのため、ガイドレール１３は、スライドフレーム２が伸縮し移動する距離と同等以上の長さ寸法を備える必要があり、ガイドレール１３を設けたメインフレーム１の重量が増加しコンテナシャシ全体の重量も増加する。
【００１１】
また、移動ばね付きローラ装置７もばね付きローラ装置６も、ローラの中心軸を支持する枠体をばねに連結したものであって、ローラの左右方向の動きや水平面内での回転等が拘束されていない。スライドフレーム２を移動する際には、現実にはローラに不規則な力が作用するので、図８（ｃ）のように、ローラがいわば首振りを起こしローラの中心軸の方向は不安定となるとともに、ばね自体も垂直方向に対し傾斜することがある。ローラの中心軸がスライドフレーム２の移動方向に対し直角な状態から外れたり、ローラとスライドフレーム２とが不均一な接触状態となると、摩擦によるスライドフレーム２の摺動抵抗が増大し、手動で操作する作業者に大きな負担がかかる。さらには、移動レール２１内に置かれた移動ばね付きローラ装置７は、ばね力の調整や整備のためのアクセスが困難であるという問題点もある。
本発明は、メインフレームの後方にスライドフレームを設け、オーバーハング部を伸縮可能とした兼用のコンテナシャシにおいて生じるこのような問題を解決することを課題とするものである。
【課題を解決するための手段】
【００１２】
上記の課題に鑑み、本発明は、スライドフレーム移動時の摩擦抵抗を低減させるためのローラを全て固定側であるメインフレームに設置するとともに、前方側のローラを、枢軸の周りに回動するアーム部材の一端に取り付け、他端にはローラを付勢するばねを連結するようにして、スライドフレーム移動時のローラの安定した方向を維持し、かつ、ばね等の配置の自由度を向上させたものである。すなわち、本発明は、
「トラクタに牽引されるコンテナシャシであって、
前記コンテナシャシは、メインフレームとその後方のスライドフレームとに分割され、前記スライドフレームが前記メインフレームに対して移動することにより伸縮可能に構成されており、さらに、
前記メインフレームの後端部には、前記スライドフレームの下方に後方ローラが設置されるとともに、前記メインフレームの中間部には、前記スライドフレームの下方及び上方にそれぞれ前方ローラが設置され、
前記後方ローラ及び前記前方ローラは、前記スライドフレームに当接するようばねにより付勢され、かつ、前記前方ローラのそれぞれの中心軸は、前記メインフレームに対し固定された枢軸の周りに回動するアーム部材の一端に取り付けられており、前記アーム部材の他端には前方ローラを付勢する前記ばねが連結されている」
ことを特徴とするコンテナシャシとなっている。
【００１３】
請求項２に記載のように、前記スライドフレームは、断面コ字状の移動レールを有するものとするとともに、前記メインフレームには前記移動レールが挿入される断面コ字状の枠体を固定し、前記前方ローラのそれぞれを、前記枠体の上辺及び下辺に形成された切り欠き部を通して前記移動レールの上面及び下面に当接させることができる。
【００１４】
請求項３に記載のように、前記アーム部材を直角に屈曲した形状に形成して屈曲部を前記枢軸に回動可能に取り付け、前方ローラを付勢する前記ばねを、前記スライドフレームの移動方向に伸縮するよう、前記スライドフレームが伸張したときの前端部よりも前方の位置に配置することが好ましい。
【００１５】
請求項４に記載のように、本発明のコンテナシャシは、異なる長さのコンテナが積載可能である兼用のコンテナシャシ、つまり、前記スライドフレームにはその後端部にコンテナを固定する緊締具が設置されるとともに、前記メインフレームにはその前端部及び中間部に緊締具が設置されたコンテナシャシに好適なものである。
【発明の効果】
【００１６】
本発明のコンテナシャシは、メインフレームとその後方のスライドフレームとに分割され、スライドフレームがメインフレームに対して移動することにより伸縮可能に構成されている。スライドフレームを移動する際の摩擦抵抗を低減させるよう、スライドフレームの上下にはばねにより付勢されるローラが配置してあるが、本発明のローラは、全てメインフレームに設置されているので、スライドフレームが移動しても動くことはなく、定位置で常時スライドフレームに当接する。そのため、図７にあるような、スライドフレームが移動する距離と同等以上の長さ寸法を備えたガイドレール１３を設け、これにローラを押圧する必要はない。したがって、ガイドレールを省きメインフレームの重量の軽減を図ることができる。
【００１７】
そして、メインフレームの前方側でスライドフレームの上方及び下方に設置される前方ローラの中心軸は、メインフレームに対し固定された枢軸の周りに回動するアーム部材の一端に取り付けられ、アーム部材の他端にはローラを付勢するばねが連結されている。つまり、それぞれの前方ローラの中心軸は、枢軸の周りの回動運動のみが可能であって左右方向の動きあるいは中心軸の傾斜が拘束されており、中心軸の方向は常にスライドフレームの移動方向と直角の向きに維持される。そのため、ローラの不安定な動きに伴う摺動抵抗の増加が回避されるとともに、長いガイドレールが存在しなくとも、移動中スライドフレームが正確に前後方向に案内されることとなる。スライドフレームは、メインフレームに接触することのないいわばフローティング状態でローラにより安定して支持され、作業者は、手動による伸縮操作を容易に行うことができる。
【００１８】
このように、回動するアーム部材の両端に前方ローラとそれを付勢するばねとを配置すると、ばねを前方ローラとは別体として設置することが可能となり、前方ローラに対するばねの位置を自由に設定することができる。また、アーム部材はメインフレームに対し固定された枢軸を支点とする「てこ」を構成しているので、枢軸から前方ローラまでの長さと枢軸からばねまでの長さとの比を変えることにより、前方ローラを付勢するばねの押圧力を調整することができる。したがって、スライドフレームをフローティング状態で支持する前方ローラとばねについて、設計の自由度が大幅に向上する。
【００１９】
請求項２の発明のように、スライドフレームに断面コ字状の移動レールを設けるとともに、メインフレームにはその移動レールが挿入される断面コ字状の枠体を固定したときには、スライドフレームの移動が枠体によりガイドされ、その円滑な移動が可能となる。必要に応じて、潤滑性材料からなるガイドプレートをスライドフレームと枠体との対向面に介在させることもできる。
【００２０】
請求項３の発明のように、アーム部材を直角に屈曲した形状に形成して屈曲部を枢軸に回動可能に取り付け、その両端に前方ローラとばねとを配置する構造としたときは、前方ローラとばねとを比較的近い位置に設けることができる。そのため、前方ローラ及び付帯装置がコンパクトな構成となり、一体として基板等に組み付けることが可能となる。そして、屈曲した形状のアーム部材を採用したときは、ローラを付勢するばねがスライドフレームの移動方向に伸縮することとなるが、こうしたばねを、スライドフレームが伸長したときの前端部よりも前方の位置に配置することが好ましい。この配置によれば、スライドフレームを最後方に移動すると、ばねはスライドフレームに隠れることはなくいわば露出した状態となって、ばね力の調整作業あるいは交換等のメインテナンス作業のためのアクセスが容易となる。
【００２１】
請求項４の発明は、本発明のコンテナシャシを、異なる長さのコンテナが積載可能である兼用のコンテナシャシに適用したものである。本発明のコンテナシャシは、スライドフレームを摺動させるときの摩擦抵抗が非常に少なく、プラットフォームにおける貨物の積み降ろし作業でコンテナシャシを伸縮させる際に、人力による操作であっても作業者に過大な労力をかけることはない。
【発明を実施するための最良の形態】
【００２２】
以下、図面に基づいて、本発明について説明するが、本発明のコンテナシャシの基本的な構造である、コンテナシャシがメインフレームとその後方のスライドフレームとに分割され、スライドフレームがメインフレームに対して移動することにより伸縮可能に構成されている点については、図６等に示す従来のコンテナシャシと変わるものではない。ここでは、本発明の要部であるスライドフレームの構造及び支持装置について主に説明する。なお、本発明の実施例を示す図面において、従来のものと対応する部品等については同一の符号を用いている。
【００２３】
図１には、本発明の一実施例であるスライドフレームの構造及びメインフレームの後方におけるスライドフレームの支持装置を示す。図１（ａ）に断面図で示されるスライドフレーム２は、図６等の従来例のものと同様に、左右の２本の移動レール２１をクロス部材２２で連結した平面視では梯子型の骨組み構造となっており、最後方の後端クロス部材２３は移動レール２１を超えて横方向に延び、図示は省略するがその両端にツイストロックが設置される。移動レール２１はコ字状の断面を有し（図２参照）、その側面には位置決め装置（図７の符号１４参照）のピンが嵌め込まれる孔２５が設けられ、また、補強板２６が溶接されている。
【００２４】
スライドフレームをメインフレームに組み合わせた状態を表す図１（ｂ）（ｃ）に示されるとおり、メインフレーム１の後端部には、スライドフレーム２の下方に後方ローラ８が設置され、スライドフレーム２の移動レール２１の下面は後方ローラ８に当接している。後方ローラ８は、その中心軸を支持する軸受枠体を２本のばねで押圧することにより上方に付勢されており、これらの装置はブラケットによりメインフレーム１の最後方のクロスビーム１２に固定される。
【００２５】
また、後方ローラ８より前方の、メインフレーム１の中間部には、スライドフレームの下方及び上方にそれぞれ前方ローラ９Ａ、９Ｂが設置される。後述するように、下方の前方ローラ９Ａは、ばねにより付勢されながらスライドフレーム２の移動レール２１の下面に当接し、上方の前方ローラ９Ｂは、やはりばねにより付勢されて移動レール２１の上面に当接する。スライドフレーム２はこれらのローラに当接しながら移動し、４０フィートのコンテナを積載するときは伸長された位置に、２０フィートのコンテナを積載し貨物の積み降ろしを行うときは短縮された位置に設定される。
【００２６】
この実施例では、前方ローラ９Ａ、９Ｂがばねとともに基板上に取り付けられており、その組立体が、スライドフレーム２が挿入される枠体に装着される。図２は組立体の取り付け部（図１のＡ部）の詳細を示すものであり、図３は単品の枠体を示すものである。また、組立体の詳細図を図４に、ローラの中心軸を固着したアーム部材を図５に示す。
図２の左図から分かるように、スライドフレーム２の左右に設けられる断面コ字状の移動レール２１は、前方ローラ９Ａ、９Ｂが配置される位置においては、断面コ字状の枠体１６に挿入されており、その中を前後方向に移動する。図２及び図３に示すとおり、枠体１６は、その前後に固着されたブラケット１７Ａ、１７Ｂを、メインビーム１１のブラケット１１Ａに結合してメインフレーム１に固定される。移動レール２１と枠体１６との対向面には、潤滑性の優れた樹脂からなるガイドプレート１８が介在されており、スライドフレーム２の移動中における、移動レール２１と枠体１６との接触に伴う摩擦抵抗を低減させている。なお、長さの短いものではあるが、同様な枠体及びガイドプレートが、後部ローラ８の近傍（図１のＢ部）にも設置されている。上方及び下方に配置された前方ローラ９Ａ、９Ｂは、枠体１６の上辺及び下辺に形成された切り欠き部１６Ａ（図３）を通過して、移動レール２１の上面と下面にそれぞれ当接する。
【００２７】
前方ローラ９Ａ、９Ｂは、ベアリングを介して中心軸９１に嵌め込まれており、中心軸９１は、枢軸９２の周りに回動するアーム部材９３の一端に固着される。アーム部材９３は、図５に示されるとおり、直角に屈曲した形状に形成されたアーム９３Ａ、９３Ｂを有し、屈曲部には枢軸９２が嵌め込まれる円筒形の軸受体９３Ｃが設けてあり、アーム９３Ａ、９３Ｂは軸受体９３Ｃに溶接されている。この実施例では、枢軸が嵌まり込む軸受体がアーム部材９３に設けてあるが、枢軸となる軸体をアーム部材９３に固着しその軸受体を固定側（基板９４等）に設けることにより、アーム部材９３の回動中心となる枢軸をメインフレームに対し固定することもできる。
ローラの中心軸９１はアーム９３Ａの先端に固着され、アーム９３Ｂの先端には、ローラを付勢するばね１０Ａ、１０Ｂがコンテナシャシの前後方向に伸縮するよう連結される。ばね１０Ａ、１０Ｂの中心には、ばね力を調整する調整ボルト１０Ｃが置かれている。
【００２８】
アーム部材９３が回動するときの中心となる枢軸９２は、基板９４に立設した支持板９５に固着されており、アーム部材９３及びばね１０Ａ、１０Ｂはこの基板９４に取り付けられている。つまり、前方ローラ及びばねは組立体として基板９４上に組み付けられ、基板９４がボルトによりブラケット１７Ａに締結される。前方ローラ及びばねの組立体は、図１（ｂ）に示されるように、スライドフレーム２が伸長したときの前端部よりも前方の位置に配置される。
【００２９】
本発明のスライドフレームの支持装置は上述のとおり構成されており、後方ローラ８及び２個の前方ローラ９Ａ、９Ｂは全てメインフレーム１に設置されている。したがって、スライドフレーム２が移動したときにローラが当接する長い寸法のガイドレールを設ける必要はなく、図１のＡ部及びＢ部に短い枠体を固定するだけでよい。その結果、メインフレーム１の重量は大幅に軽減される。
【００３０】
さらに、スライドフレーム２の上方及び下方に設置される前方ローラ９Ａ、９Ｂは、ローラの中心軸９１が枢軸９２の周りに回動するアーム部材９３の一端に固着される。枢軸９２はブラケットを介してメインフレーム１に対し固定され、アーム部材９３の軸受体９３Ｃがこれに嵌め込まれている。これにより、ローラの中心軸９１は、回動運動のみが可能であって軸の傾斜等は拘束されており、中心軸９１の方向は常にスライドフレーム２の移動方向と直角の向きに維持される。そのため、スライドフレーム２の移動の際には、摺動抵抗が増加することはなく、また、長いガイドレールがなくとも上方と下方の前方ローラ９Ａ、９Ｂにより前後方向に正確にガイドされるので、作業者は、手動による伸縮操作を容易に行うことができる。アーム部材９３は枢軸９２を支点とする「てこ」を構成しており、アーム９３Ａと９３Ｂとの長さの比を変更すると、前方ローラ９Ａ、９Ｂを付勢するばね１０Ａ、１０Ｂの押圧力を適切な値に設定できる。
【００３１】
上記の実施例では、アーム部材９３を直角に屈曲した形状に形成して屈曲部を枢軸９２に回動可能に取り付け、その両端に前方ローラ９Ａ、９Ｂとばね１０Ａ、１０Ｂとを配置する。この構造としたときは、前方ローラとばねとを比較的近い位置となるため、一体として基板９４に組み付けコンパクトな構成とすることが可能となる。そして、この組立体を、スライドフレーム２が伸長したときの前端部よりも前方の位置に配置すると、スライドフレーム２を後方に移動して組立体を露出させることができ、調整ボルト１０Ｃによるばね力の調整あるいはメインテナンス作業のためのアクセスが容易となる。この実施例では直角に屈曲したアーム部材を用いているが、直線状のアーム部材を使用してもよい。その場合には、直線状のアーム部材の他端に配置されるばねは、上下方向に伸縮するよう置かれることとなる。
【００３２】
以上詳述したように、本発明は、メインフレームの後方にスライドフレームを設け、オーバーハング部を伸縮可能とした兼用のコンテナシャシにおいて、スライドフレームの摺動抵抗を低減させるためのローラを全て固定側であるメインフレームに設置し、かつ、前方側のローラを枢軸の周りに回動するアーム部材の一端に取り付け、ローラの安定した方向を維持するように構成したものである。上記の実施例では、２０フィートコンテナと４０フィートコンテナとの兼用コンテナシャシについて、貨物の積み降ろし時の操作を中心に説明したが、本発明は、その他の寸法のコンテナを積載するもの、あるいは走行中にコンテナシャシを短縮して操縦性を向上するものについても適用可能であるのは言うまでもない。また、ローラとスライドフレームとの接触面に防錆被覆を施すなど、実施例に対し種々の変形が可能であるのは明らかである。
【図面の簡単な説明】
【００３３】
【図１】本発明のスライドフレームと支持装置を示す図である。
【図２】本発明の前方ローラの取り付け部分を示す詳細図である。
【図３】本発明の枠体の構造を示す図である。
【図４】本発明の前方ローラ及びばね組立体の詳細図である。
【図５】本発明のアーム部材の構造を示す図である。
【図６】スライドフレームを備えた伸縮可能なコンテナシャシの全体図である。
【図７】従来のスライドフレームと支持装置を示す図である。
【図８】従来の支持装置等の詳細図である。
【符号の説明】
【００３４】
１  メインフレーム
１１  メインビーム
１５  ガイドレール
１６  枠体
２  スライドフレーム
２１  移動レール
３Ａ〜３Ｄ  緊締具
８  後方ローラ
９Ａ、９Ｂ  前方ローラ
９１  中心軸
９２  枢軸
９３  アーム部材
９４  基板
１０Ａ、１０Ｂ  ばね
１０Ｃ  調整ボルト
【図１】
2008068790.tif 000003
【図２】
2008068790.tif 000004
【図３】
2008068790.tif 000005
【図４】
2008068790.tif 000006
【図５】
2008068790.tif 000007
【図６】
2008068790.tif 000008
【図７】
2008068790.tif 000009
【図８】
2008068790.tif 000010